(57)【要約】      （修正有）【課題】印刷装置外で作成された印刷ファイルのファイル名或いはフォルダ名が、印刷装置のパネル表示の未対応文字であったり、パネル表示文字数の制限により複数のファイルが同じファイル名及びフォルダ名としてパネル表示されたりする場合にも、目的とする印刷ファイルを識別しやすい印刷装置を提供する。【解決手段】印刷装置は、記憶メディアを装着して、そこから直接データを読み出して印刷するダイレクト印刷機能を備え、記憶メディアに記憶された印刷ファイルのファイル名及びフォルダ名を表示部において表示する場合に、番号等の補助識別情報をファイル名或いはフォルダ名に付加して表示する。またインデックス印刷機能を備え、補助識別情報をファイル名或いはフォルダ名に付加して印刷出力する。これにより、ファイル名或いはフォルダ名が文字化け等により正しく表示されない場合でも、印刷ファイルを識別することができる。【選択図】図６
2007253572.tif 000002
【特許請求の範囲】
【請求項１】
印刷装置外で作成された印刷ファイルを記憶する印刷ファイル記憶部と、
前記印刷ファイルの選択時に参照すべき情報を表示する表示部と、
該表示部に表示可能な標準文字リソースを文字リソース特定情報と対応付けて記憶する文字リソース記憶部と、
該印刷ファイル記憶部から格納されている前記印刷ファイルのファイル名を前記表示部に表示するファイル名表示手段と、
文字列からなる補助識別情報を前記文字リソース記憶部に格納されている前記標準文字リソースを用いて、前記印刷ファイル及び前記印刷ファイルを格納するフォルダ毎に固有に作成する補助識別情報作成手段と、
前記ファイル名と前記補助識別情報とからなるファイル特定情報のうち前記補助識別情報を優先的に前記表示部に表示させるファイル名制御手段と、
を備えることを特徴とする印刷装置。
【請求項２】
前記補助識別情報としての前記文字列は、前記表示部に表示される前記ファイル名に１ファイル当たりに許容されている表示可能ファイル名長よりも短い文字列である請求項１に記載の印刷装置。
【請求項３】
前記補助識別情報が付与された前記印刷ファイルに基づく印刷イメージを、前記補助識別情報と対応付けて補助出力する印刷イメージ補助出力手段を備える請求項１又は２に記載の印刷装置。
【請求項４】
前記印刷イメージ補助出力手段は、前記印刷イメージを印刷出力するものである請求項３に記載の印刷装置。
【請求項５】
前記印刷イメージ補助出力手段は、前記印刷ファイル記憶部に記憶された全印刷ファイルを、前記ファイル名と前記印刷イメージとを対応付けて一覧印刷出力するものである請求項４に記載の印刷装置。
【請求項６】
前記フォルダに前記印刷ファイルが格納され、前記印刷イメージ補助出力手段は、前記フォルダが選択されることにより、選択された前記フォルダに格納されているすべての前記印刷ファイルを印刷出力する請求項４に記載の印刷装置。
【請求項７】
前記印刷イメージ補助出力手段は、前記表示部に前記ファイル名を前記印刷イメージなしで一覧表示する一覧表示モードと、前記印刷イメージ付きで表示するイメージ表示モードを切り換える表示モード切り換え手段を有する請求項３ないし６のいずれか１項に記載の印刷装置。
【請求項８】
前記標準文字リソースに含まれない文字リソースを用いて記述されている前記ファイル名又は前記フォルダ名を補助識別対象名として抽出し、補助識別対象名に対して前記補助識別情報を個別に付与する請求項１ないし７のいずれか１項に記載の印刷装置。
【請求項９】
前記標準文字リソースで記述され、かつ先頭から１ファイル当たりに許容されている表示可能ファイル名長の文字列が一致する複数の前記ファイル名又は前記フォルダ名を補助識別対象名として抽出し、それら補助識別対象名が互いに識別可能となる前記補助識別情報を個別に付与する請求項１ないし７のいずれか１項に記載の印刷装置。
【請求項１０】
前記ファイル名又は前記フォルダ名が補助識別対象名である前記印刷ファイルの前記ファイル特定情報を、前記表示部に優先表示する請求項８又は９に記載の印刷装置。
【請求項１１】
前記ファイル名又は前記フォルダ名が補助識別対象名でない前記印刷ファイルは、前記補助識別情報を出力しない請求項１ないし１０のいずれか１項に記載の印刷装置。
【発明の詳細な説明】
【技術分野】
【０００１】
本発明は、印刷装置に関する。
【背景技術】
【０００２】
プリンタやＭＦＰ（Multiple Function Peripheral、複合機能周辺機器）等の印刷装置には、ＵＳＢメモリ等の記憶メディアを装着してその中にあるファイルを選択して印刷する機能（ダイレクト印刷機能）を備えたものがある。この機能によりＰＣを使わずに気軽にファイルを印刷することができる。また、記憶メディアからファイルを読み出して、複数の画像をまとめて１枚の用紙に一覧印刷するインデックス印刷機能を備えたものもある（例えば、特許文献１）。
【０００３】
ダイレクト印刷機能を有する印刷装置において、記憶メディア内のファイルデータのサムネイルを作成して印刷するインデックス印刷を行い、そのインデックス印刷の結果から目的とするファイルを特定し、そのファイル名をパネル上から選択してダイレクト印刷を実行する技術は従来からある。
【０００４】
【特許文献１】特開２００５−３４９８２２号公報
【発明の開示】
【発明が解決しようとする課題】
【０００５】
しかしながら、記憶メディア内にあるファイルのファイル名が、印刷装置のパネル表示の未対応文字であったり、パネル表示文字数の制限により複数のファイルが同じファイル名としてパネル表示されたりする場合、パネル上で正しく目的とするファイルを選択することができず、誤ったファイルを印刷してしまう可能性がある。またファイル選択にも多大な時間を費やしてしまうことになる。
【０００６】
また、ユーザが記憶メディアにいくつかのフォルダを作成し、関連業務単位ごとや製品の所定バージョンごとに関連する複数のファイルをフォルダ毎に記憶させることはよくある。その場合、別々のフォルダに同じ名前を持つファイルを格納することも出来る為、ファイル名だけを見ても何に関連するファイルかわからないという事態も十分ありうる。この場合ユーザはフォルダ名を覚えていれば、どのフォルダに格納されているかによって所望するファイルがどれかを区別することが出来るが、フォルダのフォルダ名が、印刷装置のパネル表示の未対応文字であったり、パネル表示文字数の制限により複数のフォルダが同じフォルダ名としてパネル表示されたりする場合、どのフォルダに格納されたファイルであるかを確認することが出来ない為、所望するファイルがどれか区別することが出来ないという問題がある。
【０００７】
本発明の課題は、印刷装置外で作成された印刷ファイルのファイル名が、印刷装置のパネル表示の未対応文字であったり、パネル表示文字数の制限により複数のファイルが同じファイル名としてパネル表示されたりする場合にも、目的とする印刷ファイルを識別しやすい印刷装置を提供することにある。また、本発明の課題はさらに、印刷ファイルが記憶されたフォルダのフォルダ名が、印刷装置のパネル表示の未対応文字であったり、パネル表示文字数の制限により複数のフォルダが同じフォルダ名としてパネル表示されたりする場合にも、目的とする印刷ファイルを識別しやすい印刷装置を提供することにある。
【課題を解決するための手段及び発明の効果】
【０００８】
上記課題を解決するための本発明の印刷装置は、
印刷装置外で作成された印刷ファイルを記憶する印刷ファイル記憶部と、
印刷ファイルの選択時に参照すべき情報を表示する表示部と、
該表示部に表示可能な標準文字リソースを文字リソース特定情報と対応付けて記憶する文字リソース記憶部と、
該印刷ファイル記憶部から格納されている印刷ファイルのファイル名を表示部に表示するファイル名表示手段と、
文字列からなる補助識別情報を文字リソース記憶部に格納されている標準文字リソースを用いて、印刷ファイル及び印刷ファイルを格納するフォルダ毎に固有に作成する補助識別情報作成手段と、
ファイル名と補助識別情報とからなるファイル特定情報のうち補助識別情報を優先的に表示部に表示させるファイル名制御手段と、
を備えることを特徴とする。
【０００９】
上記構成によれば、印刷装置は、補助識別情報作成手段によって、印刷ファイル及びファイルのフォルダ毎に補助識別情報を作成し、ファイル名制御手段によって、ファイル名と補助識別情報とからなるファイル特定情報のうち補助識別情報を優先的に表示部に表示することができる。ファイル名に対し補助識別情報が付加されてファイル特定情報が作成され、補助識別情報が優先的に表示部に表示されることから、ユーザは、補助識別情報によって印刷ファイルを識別して選択することができる。つまり、ファイル名が正常に表示されているか否かにかかわらず、ユーザは補助識別情報によって個々のファイルを特定することができる。
【００１０】
例えば、ファイル名或いは印刷ファイルのフォルダ名が標準文字リソースに含まれない文字リソースにより記述されていて、いわゆる「文字化け」を起こしているファイルやフォルダ、表示可能ファイル名長内では同一の文字列となってしまい、表示上は見分けのつかないファイル（以下、これらを総称して表示不具合ファイルともいう）やフォルダが存在している場合でも、その表示可能ファイル名長よりも短い補助識別情報を付与してこれを優先表示するように構成することで、上記表示不具合ファイルの識別が容易になる。
【００１１】
補助識別情報は、上記表示不具合ファイルであるか否かに拘わらず、全てのファイルに一律に付与するようにしてもよいし、後述のごとく、表示不具合ファイルに選択的に補助識別情報を付与するようにしてもよい。
【００１２】
補助識別情報は、複数の表示不具合ファイルを識別可能に表示できるようにするために、例えば序列の予め定められた文字リソース（数字やアルファベットなど）を用いて記述し、補助識別情報の付与が必要な複数のファイルに対し、その表示順と、使用する文字リソースの序列とを一致させた形で順次付与することが可能である。例えば、補助識別情報として数字を使用する場合は、上記複数の表示不具合ファイルに対し、その表示順に従って「１」，「２」，「３」‥等と補助識別情報を付与することができる。
【００１３】
本発明の印刷装置は、補助識別情報が付与された印刷ファイルに基づく印刷イメージを、補助識別情報と対応付けて補助出力する印刷イメージ補助出力手段を備える。印刷イメージと補助識別情報とが対応付けられて補助出力されることにより、ユーザは、印刷イメージによって目的の印刷ファイルを特定することができる。そして、その印刷イメージに対応付けられた補助識別情報を基に、表示部に補助識別情報とともにファイル名が表示された目的とする印刷ファイルを選択することができる。
【００１４】
また、印刷イメージ補助出力手段は、印刷イメージを印刷出力する。つまり、ユーザは、印刷出力された印刷イメージによって目的の印刷ファイルを特定し、その印刷イメージに対応付けられた補助識別情報を基に、表示部に表示される印刷ファイルを選択することができる。特に、印刷イメージが印刷出力されることにより、ユーザは、目的とする印刷ファイルを特定しやすい。
【００１５】
さらに、印刷イメージ補助出力手段は、印刷ファイル記憶部に記憶された全印刷ファイルを、ファイル名と印刷イメージとを対応付けて一覧印刷出力する。ファイル名と印刷イメージとが対応付けられて一覧印刷出力されることから、ユーザは、目的とする印刷ファイルを特定しやすい。
【００１６】
印刷イメージ補助出力手段は、表示部にファイル名を印刷イメージなしで一覧表示する一覧表示モードと、印刷イメージ付きで表示するイメージ表示モードを切り換える表示モード切り換え手段を有するものとできる。表示モード切り換え手段によって、一覧表示モードとイメージ表示モードとを切り換えられるため、ユーザは、印刷イメージを確認したい場合には、イメージ表示モードとし、そうでない場合には、一覧表示モードとすることができる。
【００１７】
本発明の印刷装置は、標準文字リソースに含まれない文字リソースを用いて記述されている印刷ファイル名或いは印刷ファイルのフォルダ名を補助識別対象名として抽出し、その補助識別対象名に対して補助識別情報を付与する。すなわち、ファイル名或いは印刷ファイルのフォルダ名が標準文字リソースに含まれない文字リソースを用いて記述されている印刷ファイルを表示不具合ファイルとして抽出して、その印刷ファイルのファイル名或いは印刷ファイルのフォルダ名を補助識別対象名とするものとできる。例えば、表示部において表示可能な文字が１バイト文字である場合には、標準文字リソースに含まれない文字とは、２バイト文字（漢字等）を指す。つまり、標準文字リソースに含まれない文字リソースによってファイル名或いは印刷ファイルのフォルダ名が構成されている場合、ファイル名或いは印刷ファイルのフォルダ名が表示部に正常に表示されないため、ユーザが識別困難であるが、このような印刷ファイルに対して補助識別情報を付与することができ、識別が可能となる。
【００１８】
また、標準文字リソースで記述され、かつ表示可能範囲内の先頭の文字列が一致する複数のファイル名或いは印刷ファイルのフォルダ名を補助識別対象名として抽出し、それら補助識別対象名が互いに識別可能となる補助識別情報を個別に付与するように構成することが可能である。ファイル名或いは印刷ファイルのフォルダ名が標準文字リソースで記述されていても、表示可能範囲内の先頭の文字列が一致する複数のファイル同士（これらは、前述の表示不具合ファイルの一つである）は、識別困難であるが、上記構成によれば、このような印刷ファイルに補助識別情報を付与するため、これらのファイルを識別することができる。
【００１９】
次に、ファイル名或いは印刷ファイルのフォルダ名が補助識別対象名である印刷ファイルのファイル特定情報は、表示部に優先表示することができる。上記構成によれば、ファイル名が補助対象ファイル名とされる印刷ファイルのファイル特定情報が優先表示されることから、識別困難であった印刷ファイルを優先的に確認することができる。
【００２０】
また、ファイル名或いは印刷ファイルのフォルダ名が補助識別対象名でない印刷ファイルは、補助識別情報を出力しないように構成することができる。上記構成によれば、補助識別情報を必要最小限の印刷ファイルに付加すればよいため、補助識別情報を多数種類必要とせず、ユーザにとって分かりやすい。
【発明を実施するための最良の形態】
【００２１】
以下図面を参照しつつ、本発明の実施の形態について説明する。
【実施例１】
【００２２】
図１は、本発明の印刷装置１を示すブロック図である。印刷装置１は、例えば、複合機等として構成され、ＣＰＵ１０，ＲＡＭ１１，ＲＯＭ１２，ゲートアレイ１３，ＮＣＵ（Network  Control  Unit：網制御装置）１４，モデム１５，ＥＥＰＲＯＭ１６，コーデック１７，ＤＭＡＣ（Direct  Memory  Access  Controller）１８などを含んで構成されている。これらの部品はバスライン１９により相互に接続されている。バスライン１９には、アドレスバス、データバス、および制御信号線が含まれる。また、ゲートアレイ１３には読取部２１、印刷部２２、操作部２３、表示部２４、スロット部２５、及び外部接続部２６が接続されている。ＮＣＵ１４には、電話回線２７が接続されている。
【００２３】
ＣＰＵ１０は、複合機１の全体の動作を制御する。また、図２に示すように、ＲＯＭ１２には表示プログラム１２ａ、印刷プログラム１２ｂ、ＦＡＸ制御プログラム１２ｃ、スキャナ制御プログラム１２ｄ、コピー制御プログラム１２ｅ、補助識別情報作成プログラム１２ｆ、インデックスデータ作成プログラム１２ｇ等の各種プログラムが記憶されている。表示プログラム１２ａは、ファイル名や画像（印刷イメージ）等を表示部２４に表示するためのプログラムである。また、印刷プログラム１２ｂは、印刷部２２によって印刷を行うためのプログラムである。補助識別情報作成プログラム１２ｆは、ファイル名に標準リソースを用いて識別情報を付加するプログラムである。インデックスデータ作成プログラム１２ｇは、複数の画像をまとめて１枚の用紙に一覧印刷するインデックス印刷を行うためのプログラムである。
【００２４】
これら表示プログラム１２ａ、印刷プログラム１２ｂ、補助識別情報作成プログラム１２ｆ、インデックスデータ作成プログラム１２ｇをＣＰＵ１０が読み出して実行することで、本発明のファイル名表示手段、補助識別情報作成手段、ファイル名制御手段、印刷イメージ補助出力手段、表示モード切り換え手段が実現される。
【００２５】
また、ＲＯＭ１２に記憶されているＦＡＸ制御プログラム１２ｃ、スキャナ制御プログラム１２ｄ、コピー制御プログラム１２ｅは、それぞれＦＡＸ機能、スキャナ機能、コピー機能を制御するためのプログラムである。
【００２６】
印刷装置１には、ＮＣＵ１４が接続されており、このＮＣＵ１４は公衆電話回線２７に接続されて回線の接続／切断等の網制御を行うものである。また、ＲＡＭ１１はＣＰＵ１０の作業領域や読み取った画像の展開領域などのためにラインバッファメモリとして用いられる。モデム１５は、ファクシミリデータの変調や復調などを行う。ＲＯＭ１２は図２に示す各種プログラムの他、設定値などのデータを記憶している。また、表示部２４に表示可能な標準リソース（例えば、数字、アルファベット、記号等）がそれぞれ、文字リソース情報（フォントリソース）と対応付けられて記憶されている。ＲＯＭ１２は、文字リソース記憶部である。ＥＥＰＲＯＭ１６は各種のフラグや設定情報などを記憶する。コーデック１７はファクシミリデータの符号化や復号化を行う。ＤＭＡＣ１８は、主にＲＡＭ１１へのデータの書き込みや読み出しを行う。
【００２７】
ゲートアレイ１３は、ＣＰＵ１０と読取部２１等の各部との入出力インターフェースとして機能する。読取部２１は、イメージセンサやＬＥＤ光源などを備え、原稿などから文字や図形などの画像を読み取る。印刷部２２は、たとえばインクジェット方式あるいは熱転写方式などにより、文字や図形などの画像を印刷する。操作部２３は、テンキーや文字キーなどのキースイッチ群を備え、ユーザのキー操作に応じた指令をＣＰＵ１０に伝える。表示部２４は、ＬＣＤなどのパネルを備え、動作状態や操作ガイダンスなどを表示する。スロット部２５は、例えば、スマートメディア（登録商標）やコンパクトフラッシュ（登録商標）、ＵＳＢ（Universal Serial Bus）メモリなど、書き換え可能なフラッシュメモリを内蔵した複数種類の記憶メディア２８を接続するための複数のコネクタを備え、これらの記憶メディア２８が抜き差し可能であり、記憶メディア２８に対してデータを読み書きするリーダ／ライタとしての機能を有する。外部接続部２６は、たとえばセントロニクスパラレルインターフェイス、あるいはＵＳＢなどといった規格に対応する接続ポートを備え、パーソナルコンピュータ（ＰＣ）２９との間でデータや信号を交換する。
【００２８】
以上の構成の本発明の印刷装置１は、パーソナルコンピュータ２９からのアクセスに応じてスロット部２５に差し込まれた記憶メディア２８のデータをパーソナルコンピュータ２９に転送したり、削除するといったデータ操作処理を行うことができる。また、印刷装置１は、異なるタイプの記憶メディア２８を接続して読み書き可能である。
【００２９】
印刷装置１は、パーソナルコンピュータ２９の周辺機器としてデータを印刷する機能のほか、デジタルカメラなどで利用される記憶メディア２８をスロット部２５に差し込み、その記憶メディア２８から直接データを読み出して印刷する、いわゆるダイレクト印刷機能を備える。そして、印刷装置１は、記憶メディア２８に記憶された印刷ファイルのファイル名を表示部２４において表示する場合に、補助識別情報をファイル名に付加して表示する。またインデックス印刷機能を備え、補助識別情報をファイル名に対応付けて印刷イメージと共に印刷出力することができる。これにより、ファイル名が文字化け等により正しく表示されない場合であっても、ユーザは、補助識別情報が付加されたインデックス印刷の結果又は表示部２４の表示を基に、補助識別情報によって印刷ファイルを識別することができる。
【００３０】
文字リソース情報は、例えばフォント種別特定情報と、フォントテーブル上の文字コード（例えば、ＪＩＳ、シフトＪＩＳ、ＡＳＣＩＩなど）とを含んだものであり、複数のフォント間でテーブル上の文字コードが共有されていることも多いが、フォントが異なれば同じコードでも違う内容の文字に対応していることが多々ある。また、フォントによっては、特定の文字コード群には具体的な文字が割り当てられず、空白（スペース）や共通記号（例えば「□」）などの代用キャラクタが一律に割り振られている場合がある。従って、印刷装置側で表示フォントとして保有していないフォントがファイル名或いは印刷ファイルのフォルダ名に使用されていると、意図したフォントの文字コードでは正常に文字が表示されるはずだったのが、印刷装置側の表示フォントで代用された場合に、対応する文字コードのフォントが、違う文字や代用キャラクタで表示されてしまい、文字化けにつながるのである。
【００３１】
図３に表示部２４のパネル上に補助識別情報を表示する場合のダイレクト印刷処理を示す。ユーザが印刷装置１の操作部２３のキースイッチ群の中のダイレクト印刷キーを押下すると、印刷装置１は、記憶メディア２８に記憶された印刷ファイルをダイレクト印刷するために、図３のフローチャートに従うダイレクト印刷処理を開始する。
【００３２】
まず、印刷装置１のＣＰＵ１０は、スロット部２５に記憶メディア２８が装着されているかを判断する（Ｓ１）。記憶メディア２８が装着されていない場合は、ダイレクト印刷の対象となる印刷ファイルが存在しないため、印刷を終了する。
【００３３】
スロット部２５に記憶メディア２８が装着されていれば（Ｓ１：ＹＥＳ）、印刷装置１のＣＰＵ１０は、記憶メディア２８内の全ファイル名及び印刷ファイルのフォルダ名に補助識別情報としての番号（数字：１，２，３，４・・・）を付加してメモリ（ＲＡＭ１１）に格納する（Ｓ２）。ＲＡＭ１１は、印刷ファイル記憶部として機能する。次に印刷装置１のＣＰＵ１０は、表示部２４のパネル上に、記憶メディア２８内の印刷ファイルを「番号＋フォルダ名＋番号＋ファイル名」の形で表示する（Ｓ３）。
【００３４】
図４にパネル表示の例を示す。図４に示すように、パネルに表示される各ファイル名及び印刷ファイルのフォルダ名の先頭には、補助識別情報としての番号が付加されて表示されている。つまり補助識別情報が優先的に表示されている。図４は、番号１、２が付加されたフォルダ名と、そのフォルダに格納された番号４〜８が付加されたファイル名が表示されているところを示している。補助識別情報としての番号が付加されることにより、文字化けしているフォルダ名（図４では番号１、２が付加されている）、ファイル名（図４では、番号８、９が付加されている）、言い換えると、標準リソースに含まれない文字リソースを用いて記述されているフォルダ名及びファイル名であっても容易に識別することができる。また、ファイル名が表示部２４の文字制限を越えており表示されている部分において他の印刷ファイルと同表示になった印刷ファイル（図４では、番号５、６、１１が付加されている）、言い換えると、表示可能範囲内の先頭の文字列が一致するファイル同士も補助識別情報によって識別することができる。
【００３５】
しかも、ファイル名の前に印刷ファイルが格納されたフォルダのフォルダ名が番号を付加された状態で表示されることから、同じファイル名である印刷ファイル（例えば、番号１が付加されたファイルと番号１０が付加されたファイルのように）であっても、別のフォルダに格納されていることをユーザは見て取ることが出来る。しかも、印刷ファイルが格納されたフォルダのフォルダ名に番号が付加されていることから、たとえ、文字化けなどで全く同じフォルダ名が２つ表示されていたとしても、番号１が付加された印刷ファイルと番号１０が付加された印刷ファイルは別のフォルダに格納されている印刷ファイルであることをユーザは見て取れる。さらに、番号１が付加された印刷ファイルと番号１０が付加された印刷ファイルのどちらが所望する印刷ファイルであるかを、それぞれ同じフォルダに格納された印刷ファイルのファイル名或いは印刷ファイルに付加された番号からユーザは推測することが出来る。
【００３６】
図３に戻り、ユーザは、番号により印刷ファイルを識別して選択することが可能であり、ユーザがダイレクト印刷する印刷ファイルの選択を完了すれば（Ｓ４：ＹＥＳ）、印刷装置１のＣＰＵ１０は、印刷プログラム１２ｂを実行することにより、選択された印刷ファイルのダイレクト印刷を開始する（Ｓ５）。
【実施例２】
【００３７】
図５を用いてインデックス印刷を行う場合のダイレクト印刷処理を説明する。まず、印刷装置１のＣＰＵ１０は、スロット部２５に記憶メディア２８が装着されているかを判断する（Ｓ１１）。記憶メディア２８が装着されていない場合は、ダイレクト印刷の対象となる印刷ファイルが存在しないため、印刷を終了する。
【００３８】
スロット部２５に記憶メディア２８が装着されていれば（Ｓ１１：ＹＥＳ）、印刷装置１のＣＰＵ１０は、記憶メディア２８内の全ファイル名及び印刷ファイルのフォルダ名に補助識別情報としての番号（数字）を付加し、そのファイルに基づく画像（印刷イメージ）とを対応付けた形でメモリ（ＲＡＭ１１）に格納する（Ｓ２１）。
【００３９】
印刷装置１のＣＰＵ１０は、ユーザによってインデックス印刷が選択されるかを監視し選択されれば（Ｓ１３：ＹＥＳ）、補助識別情報作成プログラム１２ｆ及びインデックスデータ作成プログラム１２ｇを実行し、補助識別情報としての番号を付加して番号付きのインデックス印刷データを生成する（Ｓ１４）。そして、印刷装置１のＣＰＵ１０は、印刷プログラム１２ｂを実行して、インデックス印刷を実行する（Ｓ１５）。
【００４０】
図６に全ての印刷ファイル及び印刷ファイルのフォルダ名に対して番号が付加され、画像（印刷イメージ）とが一覧表示された状態でインデックス印刷が行われた例を示す。つまり補助識別情報が付与された印刷ファイルに基づく印刷イメージが、補助識別情報と対応付けられて印刷出力されている。全てのファイル名及び印刷ファイルのフォルダ名に対して番号（補助識別情報）が付加され、画像（印刷イメージ）とともに印刷出力されているため、ファイル名が文字化けして判読できないものであっても、目的とする画像のファイル名及び印刷ファイルのフォルダ名に付加された番号によって、印刷ファイルを特定することが可能である。
【００４１】
一方、図５のＳ１３において、ユーザによってインデックス印刷が選択されなかった場合（Ｓ１３：ＮＯ）には、パネルにファイル名及び印刷ファイルのフォルダ名を表示するファイル選択表示を行う（Ｓ１６）。ユーザが番号を用いて、印刷するファイル名選択を行い（Ｓ１７）、印刷装置１のＣＰＵ１０は、その印刷ファイルのダイレクト印刷を行う（Ｓ１８）。
【実施例３】
【００４２】
図７を用いて、文字化けする印刷ファイルに対してのみ番号を付加する場合のダイレクト印刷処理について説明する。まず、印刷装置１のＣＰＵ１０は、スロット部２５に記憶メディア２８が装着されているかを判断する（Ｓ２１）。記憶メディア２８が装着されていない場合は、ダイレクト印刷の対象となる印刷ファイルが存在しないため、印刷を終了する。
【００４３】
スロット部２５に記憶メディア２８が装着されていれば（Ｓ２１：ＹＥＳ）、印刷装置１のＣＰＵ１０は、記憶メディア２８内の全ファイル名及び印刷ファイルのフォルダ名をメモリ（ＲＡＭ１１）に格納する（Ｓ２２）。
【００４４】
次に印刷装置１のＣＰＵ１０は、補助識別情報作成プログラム１２ｆを実行することにより、メモリ（ＲＡＭ１１）に格納されたファイル名及び印刷ファイルのフォルダ名を順番にチェックする（Ｓ２３）。ファイル名或いはフォルダ名にサポート外フォント（標準文字リソースに含まれず、表示部２４において表示不可能なフォント）が存在すれば（Ｓ２４：ＹＥＳ）、Ｓ２６へ進む。ファイル名或いはフォルダ名にサポート外フォントが存在しなければ（Ｓ２４：ＮＯ）、ファイル名或いはフォルダ名の先頭からＮ個の文字（Ｎは、表示部２４のパネルにおいて、１つのフォルダ名とファイル名を表示するために表示可能な文字数）が他の印刷ファイルと同じでないか、つまり、パネル上の表示においてフォルダ名とファイル名が同じ表示となる印刷ファイルが存在しないかを判断する（Ｓ２５）。
【００４５】
フォルダ名とファイル名の先頭からＮ個の文字が他のフォルダ名とファイル名と同じである印刷ファイル、つまりフォルダ名とファイル名の表示が同じものとなる印刷ファイルが存在すれば（Ｓ２５：ＹＥＳ）、そのフォルダ名とファイル名に番号を付加してフォルダ名とファイル名とセットとしてメモリ（ＲＡＭ１１）の別領域に格納する（Ｓ２６）。そして印刷装置１のＣＰＵ１０は、全ファイル名及び印刷ファイルのフォルダ名のチェックが終了したかを判断し（Ｓ２７）、全ファイル名及び印刷ファイルのフォルダ名のチェックが終了していなければ（Ｓ２７：ＮＯ）、Ｓ２３へ戻る。全ファイル名及び印刷ファイルのフォルダ名のチェックが終了すれば（Ｓ２７：ＹＥＳ）、印刷装置１のＣＰＵ１０は、パネル上に正常ファイルと番号付きファイルとを別々に表示する。
【００４６】
図８にパネルの表示例を示す。「番号＋ファイル名」と正常ファイル名がパネルに表示されている。ユーザによって「番号＋ファイル名」が選択される（Ｓ２９：ＹＥＳ）と、番号が付加されたフォルダ名とファイル名の一覧が表示される（Ｓ３０）。この場合、番号が付加された文字化け印刷ファイルのみを表示するようにしてもよいし、ファイル名或いはフォルダ名が補助識別対象名である文字化け印刷ファイルのファイル特定情報が表示部２４に優先表示され、その下に正常ファイルを共に表示するようにしてもよい。
【００４７】
ユーザによって、ダイレクト印刷を行うファイルの選択が完了すれば（Ｓ３１：ＹＥＳ）、ダイレクト印刷が実行される（Ｓ３２）。実施例３において、インデックス印刷を行った場合の印刷出力の例を図９に示す。図９においては、文字化けファイルのみに番号が付加されて印刷されている。つまり標準文字リソースに含まれない文字リソースを用いて記述されているファイル名或いはフォルダ名を補助識別対象名として抽出し、その補助識別対象名に対して補助識別情報を付与し、ファイル名及び印刷ファイルのフォルダ名が補助識別対象名でない印刷ファイル、つまりファイル名及び印刷ファイルのフォルダ名が正常に表示される印刷ファイルには、補助識別情報を出力しない実施例である。
【実施例４】
【００４８】
図１０に、パネル上で画像表示を行う場合のダイレクト印刷処理について説明する。ユーザが印刷装置１のダイレクト印刷キーを押下すると、印刷装置１は、図１０に示すフローチャートに従うダイレクト印刷処理を開始する。
【００４９】
まず、印刷装置１のＣＰＵ１０は、スロット部２５に記憶メディア２８が装着されているかを判断する（Ｓ４１）。記憶メディア２８が装着されていない場合は、ダイレクト印刷の対象となる印刷ファイルが存在しないため、印刷を終了する。
【００５０】
スロット部２５に記憶メディア２８が装着されていれば（Ｓ４１：ＹＥＳ）、印刷装置１のＣＰＵ１０は、記憶メディア２８内の全ファイル名及び印刷ファイルのフォルダ名に番号を付加してメモリ（ＲＡＭ１１）に格納する（Ｓ４２）。
【００５１】
印刷装置１のＣＰＵ１０は、パネル上に「番号＋フォルダ名＋番号＋ファイル名」を表示する（Ｓ４３）。次に、印刷装置１のＣＰＵ１０は、ユーザによってどのモードが選択されたかを判断する（Ｓ４４）。（１）「番号＋フォルダ名＋番号＋ファイル名」のモードが選択されれば、Ｓ４３に戻る。（２）「番号＋フォルダ名＋番号＋画像」のモードが選択されれば、パネル上に「番号＋画像」を表示する（Ｓ４５）。
【００５２】
図１１に、パネル表示の例を示す。図１１の左図において、「番号＋フォルダ名＋番号＋ファイル名」のモードにてパネル表示された例が示されている。そして、「番号＋フォルダ名＋番号＋画像」のモードが選択されれば、右図のようにパネル上に「番号＋フォルダ名＋番号＋画像」を表示される。つまり、ユーザの選択により、表示部２４にファイル名及び印刷ファイルのフォルダ名を印刷イメージなしで一覧表示する一覧表示モードと、印刷イメージ付きで表示するイメージ表示モードが切り換えられる。
【００５３】
図１０のＳ４４において、ユーザによるファイル選択が完了すれば（Ｓ４４（３））、印刷装置１のＣＰＵ１０は、選択された印刷ファイルのダイレクト印刷を開始する（Ｓ４６）。
【００５４】
以上のように、ファイル名或いはフォルダ名が標準文字リソースに含まれない文字リソースを用いて記述されている印刷ファイル（文字化けファイル）、フォルダ名とファイル名の表示可能範囲内の先頭の文字列が他の印刷ファイルと一致するファイル等に、番号等の補助識別情報を付加してファイル名及び印刷ファイルのフォルダ名をパネル上に表示、または印刷出力することにより、個々の印刷ファイルを補助識別情報により特定することができる。そして、補助識別情報によって目的とする印刷ファイルを選択して、ダイレクト印刷を行うことができる。
【図面の簡単な説明】
【００５５】
【図１】本発明の一実施形態としての印刷装置を示すブロック図。
【図２】ＲＯＭに格納されたプログラムの例を示す図。
【図３】ダイレクト印刷の実施例１を示すフローチャート。
【図４】実施例１におけるパネル表示の例を示す図。
【図５】ダイレクト印刷の実施例２を示すフローチャート。
【図６】実施例２におけるインデックス印刷の例を示す図。
【図７】ダイレクト印刷の実施例３を示すフローチャート。
【図８】実施例３におけるパネル表示の例を示す図。
【図９】実施例３インデックス印刷の例を示す図。
【図１０】ダイレクト印刷の実施例４を示すフローチャート。
【図１１】実施例４におけるパネル表示の例を示す図。
【符号の説明】
【００５６】
１    印刷装置
１０    ＣＰＵ
１１    ＲＡＭ
１２    ＲＯＭ
１２ａ  表示プログラム
１２ｂ  印刷プログラム
１２ｆ  補助識別情報作成プログラム
１２ｇ  インデックスデータ作成プログラム
２２    印刷部
２４    表示部
２８    記憶メディア
【図１】
2007253572.tif 000003
【図２】
2007253572.tif 000004
【図３】
2007253572.tif 000005
【図４】
2007253572.tif 000006
【図５】
2007253572.tif 000007
【図６】
2007253572.tif 000008
【図７】
2007253572.tif 000009
【図８】
2007253572.tif 000010
【図９】
2007253572.tif 000011
【図１０】
2007253572.tif 000012
【図１１】
2007253572.tif 000013